(57)【要約】【課題】扉の内外の差圧の大きさに影響されず、小さい力で差圧を調整することができる扉用差圧調整機構を提供することを課題とする。【解決手段】扉の内外で発生する差圧を調整するための扉用差圧調整機構１であって、扉本体３の一部に形成された開口部１０と、この開口部１０に隣接して扉本体３に形成された引込部２０と、開口部１０を塞ぐとともに引込部２０にスライド可能なスライド板３０と、を備えたことを特徴とし、さらに、スライド板３０または扉本体３に、スライド板３０を開口部１０の位置に係止するロック機構を設けた。【選択図】図１
2010174502.tif 000002
【特許請求の範囲】
【請求項１】
扉の内外で発生する差圧を調整するための扉用差圧調整機構であって、
扉本体の一部に形成された開口部と、
この開口部に隣接して前記扉本体に形成された引込部と、
前記開口部を塞ぐとともに前記引込部にスライド可能なスライド板と、を備えた
ことを特徴とする扉用差圧調整機構。
【請求項２】
前記スライド板または前記扉本体に、前記スライド板を前記開口部の位置に係止するロック機構を設けた
ことを特徴とする請求項１に記載の扉用差圧調整機構。
【請求項３】
前記ロック機構は、
前記スライド板にそのスライド方向と交差する方向に沿って前記扉本体側に出没可能に設けられたロックピンと、
前記扉本体に形成され前記ロックピンが挿入される係止孔と、を備えて構成される
ことを特徴とする請求項２に記載の扉用差圧調整機構。
【請求項４】
前記係止孔が、前記扉本体の開口部側側面から外周側面まで貫通して形成されるとともに、
前記ロックピンが、前記扉本体の前記係止孔を貫通して、前記扉本体の周囲の枠体に形成された枠体係止孔に挿入されるように構成された
ことを特徴とする請求項３に記載の扉用差圧調整機構。
【請求項５】
前記スライド板が、前記扉本体の手先側から吊元側に向かってスライド可能に構成されており、
前記引込部が、前記扉本体の吊元側が高くなるように傾斜して形成されている
ことを特徴とする請求項１乃至請求項４のいずれか１項に記載の扉用差圧調整機構。
【発明の詳細な説明】
【技術分野】
【０００１】
本発明は、扉の内外で発生する差圧を調整するための扉用差圧調整機構に関する。
【背景技術】
【０００２】
近年、マンションや住宅の高気密化によって、室内で換気扇等を使用した場合に、室内外で差圧が発生することが多くなっている。このように扉の内外で差圧が発生している場合、外開き扉または内開き扉では、風圧力が作用している方向に扉を開閉するため、扉が開きにくい等の開閉障害が発生することがある。このような場合、引戸（スライド式ドア）であれば、開閉障害が発生する可能性は低い。しかし、引戸は、引込スペースを設けなければならないので、設置スペースの関係で設置できない場合も多い。
【０００３】
そこで、外開き扉または内開き扉の開き扉において、扉本体に開口部を設けるとともに、この開口部を開閉するための窓本体を、その上部を回動自在に軸支して取り付け、その窓本体を上方へ回動させることで、開口部を開放して圧力を逃がすように構成したものがあった（例えば、特許文献１参照）。
【先行技術文献】
【特許文献】
【０００４】
【特許文献１】特開平１０−１３１６４２号公報
【発明の概要】
【発明が解決しようとする課題】
【０００５】
しかしながら、前記した従来の構成では、窓本体にかかる風圧力に対抗して窓本体を回動させなければならないので、差圧が大きく、扉にかかる風圧力が大きい場合には、窓本体の回動に大きい力を要するといった問題があった。
【０００６】
そこで、本発明は前記の問題を解決すべく案出されたものであって、扉の内外の差圧の大きさに影響されず、小さい力で差圧を調整することができる扉用差圧調整機構を提供することを課題とする。
【課題を解決するための手段】
【０００７】
前記課題を解決するため、本発明は、扉の内外で発生する差圧を調整するための扉用差圧調整機構であって、扉本体の一部に形成された開口部と、この開口部に隣接して前記扉本体に形成された引込部と、前記開口部を塞ぐとともに前記引込部にスライド可能なスライド板と、を備えたことを特徴とする扉用差圧調整機構である。
【０００８】
このような構成の扉用差圧調整機構によれば、スライド板を引込部にスライドさせることで開口部が開くので、扉の内外の差圧が大きい場合でも、風圧力の影響を受けない。したがって、小さい力で開口部を開くことができ、容易に差圧を調整することができる
【０００９】
また、本発明は、前記スライド板または前記扉本体に、前記スライド板を前記開口部の位置に係止するロック機構を設けたことを特徴とする。
【００１０】
このような構成の扉用差圧調整機構によれば、スライド板を確実に固定でき、開口部が勝手に開くのを防止でき、防犯性等の、扉としての機能を確保できる。
【００１１】
さらに、本発明は、前記ロック機構は、前記スライド板にそのスライド方向と交差する方向に沿って前記扉本体側に出没可能に設けられたロックピンと、前記扉本体に形成され前記ロックピンが挿入される係止孔と、を備えて構成されることを特徴とする。
【００１２】
このような構成の扉用差圧調整機構によれば、ロックピンを係止孔に出没させるといった簡単な構造および動作でスライド板を確実に固定できる。
【００１３】
また、本発明は、前記係止孔が、前記扉本体の開口部側側面から外周側面まで貫通して形成されるとともに、前記ロックピンが、前記扉本体の前記係止孔を貫通して、前記扉本体の周囲の枠体に形成された枠体係止孔に挿入されるように構成されたことを特徴とする。
【００１４】
このような構成の扉用差圧調整機構によれば、ロックピンで、スライド板を扉本体に係止できるだけでなく、扉本体を枠体に係止することができる。
【００１５】
さらに、本発明は、前記スライド板が、前記扉本体の手先側から吊元側に向かってスライド可能に構成されており、前記引込部が、前記扉本体の吊元側が高くなるように傾斜して形成されていることを特徴とする。
【００１６】
このような構成の扉用差圧調整機構によれば、スライド板を引込部にスライドさせた後、手を離すと自動的に開口部位置に戻るので、スライド板を元の位置に戻す手間が省けるとともに、開口部が開いた状態のまま放置されるのを防止できる。
【発明の効果】
【００１７】
本発明によれば、扉の内外の差圧の大きさに影響されず、小さい力で差圧を調整することができるといった優れた効果を発揮する。
【図面の簡単な説明】
【００１８】
【図１】第一実施形態に係る扉用差圧調整機構を示した斜視図である。
【図２】第一実施形態に係る扉用差圧調整機構の開口部が開いた状態を示した斜視図である。
【図３】第一実施形態に係る扉用差圧調整機構を示した分解斜視図である。
【図４】第二実施形態に係る扉用差圧調整機構を示した斜視図である。
【図５】第二実施形態に係る扉用差圧調整機構の開口部が開いた状態を示した斜視図である。
【図６】第三実施形態に係る扉用差圧調整機構を示した要部拡大正面図である。
【図７】第三実施形態に係る扉用差圧調整機構の開口部が開いた状態を示した要部拡大正面図である。
【図８】第四実施形態に係る扉用差圧調整機構を示した要部拡大斜視図である。
【図９】第四実施形態に係る扉用差圧調整機構の開口部が開いた状態を示した要部拡大斜視図である。
【発明を実施するための形態】
【００１９】
（第一実施形態）
本発明に係る扉用差圧調整機構を実施するための第一実施形態について、添付図面を参照しながら詳細に説明する。
【００２０】
図１および図２に示すように、かかる扉用差圧調整機構１は、扉の内外で発生する差圧を調整するためのものであって、例えば、開き扉２に形成されている。開き扉２は、扉本体３と、扉本体３を囲う枠体４と、扉本体３を枠体４に回動自在に取り付けるヒンジ５とを備えて構成されている。枠体４は、扉本体３の側面および上面を囲う三方枠４ａと、扉本体３の下面を囲う下枠４ｂとで構成されている。
【００２１】
図１乃至図３に示すように、扉用差圧調整機構１は、扉本体３の一部に形成された開口部１０と、この開口部１０に隣接して扉本体３に形成された引込部２０と、開口部１０を塞ぐとともに、引込部２０にスライド可能なスライド板３０と、を備えたことを特徴とする。
【００２２】
開口部１０は、扉本体３の手先側端部から吊元側へ向かって切り欠かれて形成されており、特に図３に対角線を表示したように、正面視で縦長の長方形を呈している。開口部１０は、扉本体３の上端及び下端から所定距離をあけて形成されており、その吊元側、上側および下側が、扉本体３で囲われている。
【００２３】
引込部２０は、開口部１０の吊元側に隣接して、扉本体３の厚さ方向内側に、戸袋状に形成されている。引込部２０は、開口部１０の上側および下側にも延在して形成されており、正面視でコ字状を呈している。引込部２０は、スライド板３０の周縁部３１の吊元側、上側および下側を収容する。引込部２０は、スライド板３０が開口部１０の全体を塞ぐ位置にあるときに、スライド板３０よりも吊元側に空間が形成されており、この空間（これが引込みスペースとなる）にスライド板３０がスライドするようになっている。引込部２０の引き込み深さは、扉の内外で発生する差圧やスライド板３０の面積に応じて適宜設定されている。差圧が大きい場合やスライド板３０の面積が小さい場合は、引き込み量が大きくなり、差圧が小さい場合やスライド板３０の面積が大きい場合は、引き込み量が小さくなる。引込部２０の上辺と下辺には、スライド板３０をガイドするレール（図示せず）がそれぞれ設けられている。引込部２０は、上辺と下辺が、吊元側が高くなるように傾斜して形成されており、レールも同様に傾斜して設けられている。引込部２０の傾斜は、手を放したフリー状態のスライド板３０が、開口部１０の全体を塞ぐ位置（閉位置）に自動的に移動可能な角度となっている。
【００２４】
スライド板３０は、扉本体３よりも薄く形成されており、その周縁部３１の吊元側、上側および下側が引込部２０内に収容されている。スライド板３０の周縁部３１の表面には、棒状のシール材（図示せず）が設けられている。このシール材の先端部は、引込部２０の内表面に当接しており、扉本体３の内側と外側との気密性を確保している。スライド板３０は、扉本体３と同材料で同色に形成されている。なお、スライド板３０は、扉本体３と色または材質を代えてアクセントとしてデザインするようにしてもよい。スライド板３０には、ドアノブ３２と取っ手３３が設けられている。取っ手３３は、スライド板３０をスライドさせる時に把持する。スライド板３０の下端面および上端面には、戸車３４が回転可能に設けられており、スライド板３０が引込部２０内を円滑にスライドできるようになっている。スライド板３０および扉本体３の内部には補強リブ（図示せず）が形成されており、上下方向に長いスライド板３０および扉本体３が撓むのを防止している。
【００２５】
スライド板３０には、スライド板３０を開口部１０の位置に係止するロック機構４０が設けられている。ロック機構４０は、スライド板３０が開口部１０の全体を完全に塞いだ状態を維持するものであり、具体的には、スライド板３０に設けられ扉本体３側に出没可能なロックピン４１と、扉本体３に形成されロックピン４１が挿入される係止孔４６とを備えて構成されている。
【００２６】
ロックピン４１は、スライド板３０の内部でスライド方向と交差する方向に沿って延在して設けられている。ここで、スライド方向とは、扉本体３の手元側から吊元側へと略水平（引込部２０の傾斜角度だけ傾斜している）に延びる方向であって、スライド方向と交差する方向とは、扉本体３の表面に沿って上下に延びる方向である。すなわち、ロックピン４１は、上下方向に延在しており、サムターン４３の上下にそれぞれ設けられている。上側のロックピン４１は、その先端部が、スライド板３０の上側の扉本体３を越えて、三方枠４ａの上辺部の内部まで突出する長さに形成されている。下側のロックピン４１は、スライド板３０の下側の扉本体３を越えて、下枠４ｂの内部まで突出する長さに形成されている。各ロックピン４１は、サムターン４３にリンク機構４４を介して接続されている。リンク機構４４は、サムターン４３に連結された第一リンク部材４４ａと、第一リンク部材４４ａの先端とロックピン４１の内側端との間に掛け渡された第二リンク部材４４ｂとを備えて構成されている。
【００２７】
第一リンク部材４４ａは、その中心部がサムターン４３の回転軸に直接接続されており、サムターン４３の回転に連動して回転する。第二リンク部材４４ｂは、サムターン４３の上下にそれぞれ設けられている。各第二リンク部材４４ｂ，４４ｂの一端（サムターン４３側端）は、第一ピン４５ａ，４５ａを介して第一リンク部材４４ａの両端にそれぞれピン結合されている。各第二リンク部材４４ｂ，４４ｂの他端（ロックピン４１側端）は、第二ピン４５ｂ，４５ｂを介して上下のロックピン４１，４１の一端（内側端）にそれぞれピン結合されている。第二ピン４５ｂ，４５ｂは上下方向に沿って移動するようにガイドされている。
【００２８】
このような構成によれば、スライド板３０をロックした状態（図１参照）からサムターン４３を回転させると、図２に示すように、第一リンク部材４４ａが回転し、第二リンク部材４４ｂのサムターン４３側端が第一ピン４５ａに引っ張られて、第一リンク部材４４ａの外周軌道上を回動する。このとき、第二リンク部材４４ｂのロックピン４１側端は、上下方向に移動するようにガイドされているので、サムターン４３側に直線的に引き寄せられる。これによって、ロックピン４１が、スライド板３０内に引き込まれる。
【００２９】
係止孔４６は、扉本体３の開口部１０側側面に開口して、スライド板３０の端面に対向するように形成されている。ここで、開口部１０側側面とは、扉本体３の表面と直交して、扉本体３の厚さ方向に延在する面であって、開口部１０の周囲を囲う面である。係止孔４６は、スライド板３０が開口部１０の全体を塞ぐ場所に位置するときに、ロックピン４１が出没する位置に形成されている。本実施形態では、係止孔４６は、扉本体３の開口部１０側側面から外周側面まで貫通して形成されている。
【００３０】
扉本体３の上に位置する三方枠４ａの上辺部には、枠体係止孔４７が形成されている。また、扉本体３の下に位置する下枠４ｂにも、枠体係止孔４７が形成されている。これら枠体係止孔４７，４７は、扉本体３が閉じた状態での係止孔４６の延長線上に形成されている。
【００３１】
サムターン４３の回転停止位置は、以下の三段階に設定されている。（１）図１に示すように、ロックピン４１の先端部が枠体係止孔４７の内部に挿入されて、スライド板３０が扉本体３にロックされるとともに扉本体３が枠体４にロックされる扉ロック状態。（２）図２に示すように、ロックピン４１の先端部がスライド板３０の内部に没入されて、スライド板３０が引込部２０内にスライド可能なロック解除状態。（３）図示しないが、扉ロック状態とロック解除状態の中間で、ロックピン４１の先端部が扉本体３の係止孔４６内部に没入されて、枠体係止孔４７には挿入されておらず、スライド板３０が扉本体３にロックされただけのスライド板ロック状態。通常は、スライド板ロック状態にしておくことで、扉本体３は自由に開閉できる開き扉２とすることができる。
【００３２】
次に、前記構成の扉用差圧調整機構１の操作方法を説明しつつ、本発明の作用を説明する。
【００３３】
かかる扉用差圧調整機構１が設けられた開き扉２は、図１の状態で閉まっている。この状態で、開口部１０は、スライド板３０によって閉塞されており、また、スライド板３０の周縁部３１に設けられたシール材によって、スライド板３０と引込部２０との間の隙間がシールされているので、開き扉２の内外の気密性が確保されている。
【００３４】
開き扉２の内外で差圧が生じて扉本体３の開閉が重い場合は、サムターン４３を図２の状態まで回転させる。これによって、ロックピン４１が、リンク機構４４を介して引っ張られスライド板３０内に没する。そして、サムターン４３または取っ手３３を押して、スライド板３０を引込部２０内にスライドさせる。これによって、開口部１０内の手先側で、スライド板３０がスライドして移動した部分には、扉の内外を連通させる連通開口部１１が形成されて、差圧が調整される。このとき、スライド板３０は、扉本体３の表面に沿って移動するので、室内の体積が変化しない。また、スライド板３０は、風圧力が作用している方向に移動するものでもない。したがって、開き扉２の内外で差圧があってもその影響を受けることなく、スライド板３０を容易にスライドさせることができ、開き扉２の内外の差圧が調整されるので、その後、容易に開き扉２を開くことができる。ここで、開口部１０およびスライド板３０は、ともにスライド方向と交差する方向（上下方向）に長いため、少ないスライド量で連通開口部１１の開放面積（スライド板３０が吊元側にスライドした状態の扉開口面積）を大きく得ることができ、円滑に扉内外の差圧調整を行える。さらに、補強リブによって、上下方向に長いスライド板３０および扉本体３が撓むのを防止しているので、引込部２０の内面とスライド板３０が競り合うのを防止でき、スライド板３０がスライドし難くなることはない。
【００３５】
また、本実施形態では、スライド板３０に、ロック機構４０が設けられているので、スライド板３０を扉本体３に固定でき、開口部１０が勝手に開くのを防止できる。したがって、防犯性や気密性等の、開き扉２としての機能を確保できる。
【００３６】
さらに、ロック機構４０は、扉本体３側に出没するロックピン４１と、扉本体３に形成された係止孔４６と、を備えて構成されているので、ロックピン４１を係止孔４６に出没させるといった簡単な構造および動作でスライド板３０を確実に固定できる。また、ロックピン４１は、サムターン４３を手動で回転することで、リンク機構４４を介して出没動作が行われるので、電力を用いず、停電時でも使用することが可能である。
【００３７】
さらに、ロックピン４１の出没で、スライド板３０を扉本体３に係止できるだけでなく、扉本体３を枠体４に係止することができるので、開き扉２の鍵を省略できる。
【００３８】
また、引込部２０が、扉本体３の吊元側が高くなるように傾斜して形成されているので、扉本体３を開いた後に手を離すと、スライド板３０が、自動的に開口部１０を塞ぐ位置に戻る。したがって、スライド板３０を元の位置に戻す手間が省けるとともに、開口部１０が開いた状態のまま放置されるのを防止できる。
【００３９】
なお、本実施形態では、ロックピン４１は、サムターン４３の上下両方に設けられているが、どちらか一方のみであってもよい。
【００４０】
（第二実施形態）
本発明に係る扉用差圧調整機構を実施するための第二実施形態について、図４および図５を参照しながら詳細に説明する。
【００４１】
図４および図５に示すように、かかる扉用差圧調整機構１０１は、開口部１１０が、扉本体１０３の手先側から切り欠かれてドアノブ３２の下方に形成されている。本実施形態でも、引込部１２０は、開口部１１０の吊元側に隣接して、戸袋状に形成されている。引込部１２０は、吊元側が高くなるように傾斜して形成されている。
【００４２】
スライド板１３０は、吊元側が薄く形成され、引込部１２０内にスライド可能となっている。また、スライド板１３０の手先側は、扉本体１０３と同じ厚さで、表面同士が面一になるように構成されて、第一実施形態とはデザインを変えている。スライド板１３０は、第一実施形態と比較して、スライド方向と交差する方向の長さが短いため、第一実施形態よりもスライド量（引込部２０の引き込み深さ）を大きくして、連通開口部１１１（図５参照）の面積を確保している。
【００４３】
本実施形態では、スライド板１３０を開口部１１０の位置にロックするロック機構１４０が、扉本体１０３に設けられた一般的な構造の鍵１４１と、スライド板１３０に形成された係止孔１４６にて構成されている。通常の鍵１４３は、ドアノブ３２の上方に設けられたように、三方枠４ａの側面に向かってデッドボルト１４３ａが出没するように設けられている。これに対して、ロック機構１４０を構成する鍵１４１は、デッドボルト１４１ａが上下方向に出没するように配置されている。デッドボルト１４１ａは、開口部１１０の上端縁から下方に向かって出没する。係止孔１４６は、スライド板１３０の上端面に、上方に向かって開口して形成されている。係止孔１４６は、スライド板１３０が開口部１１０を塞ぐ場所に位置するときに、デッドボルト１４１ａが出没する位置に形成されている。
【００４４】
なお、その他の構成については、第一実施形態と同様であるので、同じ符号を付して説明を省略する。
【００４５】
次に、前記構成の扉用差圧調整機構１０１の操作方法を説明しつつ、本発明の作用を説明する。
【００４６】
かかる扉用差圧調整機構１０１が設けられた開き扉１０２は、図４に示すように、鍵１４１のデッドボルト１４１ａが、スライド板１３０の上端面の係止孔１４６に挿入された状態で閉まっている。
【００４７】
開き扉１０２の内外で差圧が生じて扉本体１０３の開閉が重い場合は、鍵１４１を図５の状態まで回転させる。これによって、デッドボルト１４１ａが、扉本体３内に没して、係止孔１４６から引き抜かれる。そして、取っ手３３を押して、スライド板１３０を引込部１２０内にスライドさせる。このとき、スライド板１３０は、第一実施形態と同様に、扉本体１０３の表面に沿って移動するので、差圧の影響を受けることなく容易にスライドさせることができ、開き扉２の内外の差圧が調整される。その後、容易に開き扉１０２を開くことができる。
【００４８】
また、本実施形態では、ロック機構１４０が一般の鍵１４１にて構成されているので、構造が単純化され、製造および施工手間を低減することができる。
【００４９】
さらに、引込部１２０が、扉本体１０３の吊元側が高くなるように傾斜して形成されているので、開き扉１０２を開いた後に手を離すと、スライド板１３０が、自動的に開口部１１０を塞ぐ位置に戻る。また、スライド板１３０は面積が小さいので、その重量が小さく、軽い力でスライドさせることができるとともに、撓み難いので補強リブを低減することができる。
【００５０】
なお、本実施形態では、開口部１１０が、ドアノブ３２の下方に形成されているが、ドアノブ３２の上方に形成するようにしてもよい。但し、背の低い子供が利用することを考慮すると、下方に形成されている方が好ましい。
【００５１】
（第三実施形態）
本発明に係る扉用差圧調整機構を実施するための第三実施形態について、図６および図７を参照しながら詳細に説明する。
【００５２】
図６および図７に示すように、かかる扉用差圧調整機構２０１は、開口部２１０が扉本体２０３の、例えば、中央部に形成されている。なお、扉用差圧調整機構２０１の位置は、後記するロック機構２４０の側部に形成されていれば、扉本体２０３の中央部に限定されるものではない。開口部２１０は、正面視で、例えば、略正方形を呈している。なお、開口部２１０の形状は、正方形に限定されるものではない。連通開口部２１１（図７参照）の面積を少しのスライド量で大きく確保するためには、スライド方向と交差する方向に長い方が有利であるが、連通開口部２１１の必要面積が確保できれば、開口部２１０の形状は問わない。本実施形態では、開口部２１０の上側に隣接して、引込部２２０が戸袋状に形成されている。引込部２２０は、開口部２１０の左右両側および下側にも延在して形成されており、スライド板２３０の周縁部２３１を収容する。引込部２２０は、上方に深く形成されており、その奥の部分にスライド板２３０がスライドするようになっている。
【００５３】
スライド板２３０は、薄く形成され引込部２２０内に向かって上方にスライド可能となっている。スライド板２３０の下端部には、取っ手３３が設けられている。
【００５４】
本実施形態では、スライド板２３０を開口部２１０の位置にロックするロック機構２４０が、扉本体２０３に設けられスライド板２３０側に出没可能なロックピン２４１と、スライド板２３０に形成されロックピン２４１が挿入される係止孔２４６とを備えて構成されている。
【００５５】
ロックピン２４１は、扉本体２０３の内部でスライド方向（上下方向）と交差する方向（本実施形態では扉本体２０３の表面に沿った水平方向）に沿って延在して設けられている。ロックピン２４１は、サムターン４３の吊元側に設けられている。ロックピン２４１は、その先端部が、開口部２１０の側方の引込部２２０の側面を越えて、スライド板２３０の内部まで突出する長さに形成されている。一方、ロックピン２４１の逆側位置となる、サムターン４３の手先側には、扉本体２０３を三方枠４ａに固定するためのロックピン２４３（デッドボルト）が設けられている。ロックピン２４３は、水平方向に延在しており、三方枠４ａの内部まで突出する長さに形成されている。各ロックピン２４１，２４３は、サムターン４３にリンク機構２４４を介して接続されている。リンク機構２４４は、第一実施形態のリンク機構４４と同様の構成のものを９０度回転させて形成したものであるので、同じ符号を付して、構成および動作の説明を省略する。
【００５６】
係止孔２４６は、スライド板２３０の手先側側面に開口して、開口部２１０の側方の引込部２２０の側面に対向するように形成されている。係止孔２４６は、スライド板２３０が開口部２１０を塞ぐ場所に位置するときに、ロックピン２４１が出没する位置に形成されている。また、三方枠４ａには、ロックピン２４３が挿入される枠体係止孔２４７が形成されている。
【００５７】
なお、その他の構成については、第一実施形態と同様であるので、同じ符号を付して説明を省略する。
【００５８】
次に、前記構成の扉用差圧調整機構２０１の操作方法を説明しつつ、本発明の作用を説明する。
【００５９】
かかる扉用差圧調整機構２０１が設けられた開き扉２０２は、図６に示すように、各ロックピン２４１，２４３が、係止孔２４６，枠体係止孔２４７にそれぞれ挿入された状態で閉まっている。本実施形態では、この状態で、開き扉２０２が施錠された状態となっている。開錠された状態で、開き扉２０２を閉じておく場合は、サムターン４３を回転させて、図７の状態とするが、開き扉２０２の開錠と、スライド板２３０のロック解除が同時に行われる。このとき、スライド板２３０は、自重によって、開口部２１０を塞ぐ位置にあるので、開口部２１０が勝手に開くことはない。
【００６０】
そして、開き扉２０２の内外で差圧が生じて扉本体２０３の開閉が重い場合に、開き扉２０２を開ける場合は、スライド板２３０のロックが解除された状態で、取っ手３３を持って上方に押して、スライド板２３０を引込部２２０内にスライドさせる。このとき、スライド板２３０は、第一実施形態と同様に、扉本体２０３の表面に沿って移動するので、差圧の影響を受けることなく容易にスライドさせることができ、開き扉２０２の内外の差圧が調整される。その後、容易に開き扉２０２を開くことができる。
【００６１】
また、本実施形態では、スライド板２３０は、上方にスライドされているので、手を離すと、自動的に開口部２１０を塞ぐ位置に戻る。さらに、一つのサムターン４３を回転させるだけで、開き扉２０２の施錠・開錠と、スライド板２３０のロック、ロック解除を同時に行うことができる。
【００６２】
（第四実施形態）
本発明に係る扉用差圧調整機構を実施するための第四実施形態について、図８および図９を参照しながら詳細に説明する。
【００６３】
図８および図９に示すように、かかる扉用差圧調整機構２０１’は、第三実施形態と同様の構成のスライド板２３０を上方にスライドした状態で固定できるように構成したものである。その他の構成は、第三実施形態と同様であるので、同じ符号を付して説明を省略する。
【００６４】
スライド板２３０の下端部に、ワイヤ２３４の一端が固定される取っ手２３３が設けられている。取っ手２３３は、開口部２１０の幅方向に延在して形成されている。ワイヤ２３４は、取っ手２３３の両端部にそれぞれ固定されており、上方に延出している。一方、開口部２１０の上端近傍には、各ワイヤ２３４，２３４を下方に折り返す、折返用棒材２３５が設けられている。折返用棒材２３５は、開口部２１０の幅方向両端の扉本体２０３の表面間に架け渡されて固定されている。折返用棒材２３５で下方に折り返されたワイヤ２３４，２３４の先端には、開口部２１０の高さ方向中間部に設けられた係止部２３７に係止される係止バー２３６が固定されている。係止部２３７は、開口部２１０の幅方向両端の扉本体２０３の表面に一対設けられており、先端が下方に向かって屈曲している。係止バー２３６は、開口部２１０の幅より長く形成されており、その両端部が係止部２３７，２３７にそれぞれ係止される。なお、係止バー２３６を、係止部２３７に係止する際には、係止バー２３６を係止部２３７の下端部よりも下方に一旦引き下げることになるので、引込部２２０が、係止バー２３６の引き下げ長さ分、上方に深く形成されている。
【００６５】
このような構成を備えた扉用差圧調整機構２０１’によれば、第三実施形態と同様の作用効果を得られる他に、係止バー２３６を下方に引き下げることで、体重等を利用してスライド板２３０を引き上げることができるので、スライド板２３０を単に上方に持ち上げる場合より軽い力で引き上げることができる。
【００６６】
さらに、スライド板２３０を上方にスライドさせた状態で、係止バー２３６を係止部２３７，２３７に係止することで、開口部２１０を開いた状態（連通開口部２１１（図９参照）が形成されたままの状態）を保持することができる。これによれば、扉の開閉時にスライド板２３０を押さえていなくても、連通開口部２１１が形成されたままの状態を保持できる。さらに、扉の開閉時以外で人がいない状態の場合にも、開き扉２０２に連通開口部２１１を形成することができるので、換気等の用途に利用することが可能となる。なお、スライド板２３０を開けた状態で保持する機構は、前記機構に限定されるものではなく、例えば、スライド板２３０を上方にスライドしたときにロックピン２４１が位置する部分に、係止孔（図示せず）を別個に形成して、この係止孔にロックピン２４１を挿入して係止するようにしてもよい。
【００６７】
以上、本発明を実施するための形態について説明したが、本発明は前記実施の形態に限定されず、本発明の趣旨を逸脱しない範囲で適宜設計変更が可能である。たとえば、前記実施形態では、スライド板を直線的にスライドする構成となっているが、これに限定されるものではない。たとえば、スライド板を回転して円弧状にスライドさせることで、開口部を開閉するようにしてもよい。そして、スライド板の回転をドアノブの回転に連動するようにすれば、スライド板をスライドさせる手間を低減することができる。この場合、例えば、ドアノブの回転軸とスライド板の回転軸間にギヤ機構を介設する等して、ドアノブの回転量に対して、スライド板の回転量を大きくするようにするのが好ましい。
【符号の説明】
【００６８】
１      扉用差圧調整機構
３      扉本体
１０    開口部
２０    引込部
３０    スライド板
４０    ロック機構
４１    ロックピン
４６    係止孔
１０１  扉用差圧調整機構
１０３  扉本体
１１０  開口部
１２０  引込部
１３０  スライド板
１４０  ロック機構
１４１ａ  デッドボルト（ロックピン）
１４６    係止孔
２０１  扉用差圧調整機構
２０３  扉本体
２１０  開口部
２２０  引込部
２３０  スライド板
２４０  ロック機構
２４１  ロックピン
２４６    係止孔
２０１’  扉用差圧調整機構
【図１】
2010174502.tif 000003
【図２】
2010174502.tif 000004
【図３】
2010174502.tif 000005
【図４】
2010174502.tif 000006
【図５】
2010174502.tif 000007
【図６】
2010174502.tif 000008
【図７】
2010174502.tif 000009
【図８】
2010174502.tif 000010
【図９】
2010174502.tif 000011